(57)【要約】【課題】汎用パソコンで監視制御装置本体から送信された画面データを閲覧でき、また、汎用プリンタで画面のハードコピー得ることができるプラント監視制御システムを得る。【解決手段】プラント設備１にコントローラ４とプラントバス５とを介して接続された監視制御装置本体６に、汎用パソコン９とプリンタ１０とを汎用ＬＡＮ８で接続し、監視制御装置本体６のディスプレイ７で表示される表示画面を汎用パソコン９で表示・印刷が可能な画面データに変換する画面データ変換処理部６２を監視制御装置本体６に備え、監視制御装置本体６からの指令により、画面データ変換処理部６２で変換した画面データを、汎用ＬＡＮ８を経由して汎用パソコン９に送信して蓄積し、汎用パソコン９側で画面データを閲覧及び印刷可能に構成した。【選択図】図１
2011186724.tif 000002
【特許請求の範囲】
【請求項１】
プラント設備のシーケンス制御や計装制御を行うコントローラと、前記プラント設備を監視制御すると共にデータを収集・編集・蓄積し各種帳票やプラント監視画面等の作成・出力を行う監視制御装置本体とをプラントバスで接続したプラント監視制御システムにおいて、
前記監視制御装置本体に汎用パソコンとプリンタとを汎用ＬＡＮで接続し、前記監視制御装置本体の表示装置で表示される表示画面を前記汎用パソコンで表示・印刷可能な画面データに変換する画面データ変換処理部を前記監視制御装置本体に備え、
前記監視制御装置本体からの指令により、前記画面データ変換処理部で変換した前記画面データを、前記汎用ＬＡＮを経由して前記汎用パソコンに送信して蓄積し、前記汎用パソコン側で前記画面データを閲覧及び印刷可能に構成したことを特徴とするプラント監視制御システム。
【請求項２】
請求項１記載のプラント監視制御システムにおいて、
前記監視制御装置本体からの表示画面印刷指令により、前記汎用パソコンから前記画面データを前記プリンタに出力する機能を備えたことを特徴とするプラント監視制御システム。
【発明の詳細な説明】
【技術分野】
【０００１】
この発明は、プラントを運用する上で必要なプラントデータを収集し、警報や操作履歴・帳票などを作成し、表示・印刷するハードコピー機能を備えたプラント監視制御システムに関するものである。
【背景技術】
【０００２】
従来のプラント監視装置として、例えば、プラントの状態を入力するプロセス入力装置と、オペレータからの要求を入力する入力装置と、ＣＲＴ表示装置と、プロセス入力装置を介してプラント状態を入力すると共に、ＣＲＴ表示装置上に、入力されたプラント状態を表示するための画像データ信号を送出する計算機と、ハードコピー装置とを備え、ＣＲＴ表示装置上に表示中のＣＲＴ画面を、オペレータあるいは計算機からの要求により、ハードコピー装置によりコピープリントすることの可能なプラント監視装置が開示されている。また本技術には、表示装置に表示中の画像に関係するプラントの状態情報を、相互に重なって欠落しないように合成編集してプリントアウトすることも開示されている（例えば、特許文献１参照）。
また、従来のプラント監視制御システムの構成として、現場設備の情報をコントローラを介して取り込み、プラントバスに接続された監視制御装置により、その監視制御装置に直接接続されているプリンタから、ハードコピーするようなシステムが知られている（例えば、特許文献２参照）。
図３は、特許文献２に示された従来のプラント監視制御システムの構成を示す図である。図３において、監視・制御されるプラント設備２１から、プラントの現場設備の運転状態や故障状態を示す情報を接点２２を介して、また、プラントの現場設備の計測情報を測定端子２３を介してコントローラ２４に取り込む。コントローラ２４に取り込まれたプラントの現場設備の各種情報は、プラントバスであるオンライン制御バス２５に接続された帳票処理装置２６において運転員に分かり易い形の情報に加工されて、ディスプレイ２７に表示され、その画面が必要に応じてプリンタ２８で印刷されるようになっている。
【先行技術文献】
【特許文献】
【０００３】
【特許文献１】特開平６−１１１１６２号公報（第１頁、図１）
【特許文献２】特開平１０−３２００３８号公報（第４頁、図１）
【発明の概要】
【発明が解決しようとする課題】
【０００４】
従来のプラント監視制御システムでは、特許文献１に示されているように、プラント監視装置に専用のハードコピー装置を備え、オペレータ（又は計算機）の要求に応じて、画面に表示し印刷できるようになっている。
また、引用文献２に記載された技術では、図３のように構成されているので、帳票処理装置２６に直接接続されているプリンタ２８、又は、帳票処理装置２６とオンライン制御バス２５を介して接続されているプリンタ２８にしかハードコピーすることができない。帳票処理装置２６やオンライン制御バス２５（プラントバス）は、通常、メーカの独自仕様で製作されているため、プリンタを接続する場合には、接続できるプリンタを独自に製作するか、市販されているプリンタを利用するためには、メーカ独自仕様と接続できるような接続装置やソフトウェアを製作する必要があった。すなわち、使用可能なプリンタは帳票処理装置又はプラントバスに依存するため、簡単に自由に選択することができないという問題点があった。
また、帳票処理装置で得られたデータや画像を簡単に汎用パソコンで見ることは難しいという問題点があった。
【０００５】
この発明は上記のような問題点を解消するためになされたもので、汎用パソコンで監視制御装置本体から送信された画面データを閲覧でき、また、汎用プリンタで画面のハードコピー得ることができるプラント監視制御システムを提供することを目的とする。
【課題を解決するための手段】
【０００６】
この発明に係るプラント監視制御システムは、プラント設備のシーケンス制御や計装制御を行うコントローラと、プラント設備を監視制御すると共にデータを収集・編集・蓄積し各種帳票やプラント監視画面等の作成・出力を行う監視制御装置本体とをプラントバスで接続したプラント監視制御システムにおいて、監視制御装置本体に汎用パソコンとプリンタとを汎用ＬＡＮで接続し、監視制御装置本体の表示装置で表示される表示画面を汎用パソコンで表示・印刷可能な画面データに変換する画面データ変換処理部を監視制御装置本体に備え、監視制御装置本体からの指令により、画面データ変換処理部で変換した画面データを、汎用ＬＡＮを経由して汎用パソコンに送信して蓄積し、汎用パソコン側で画面データを閲覧及び印刷可能に構成したものである。
【発明の効果】
【０００７】
この発明のプラント監視制御システムによれば、監視制御装置本体に汎用パソコンとプリンタとを汎用ＬＡＮで接続し、監視制御装置本体の表示装置で表示される表示画面を汎用パソコンで表示・印刷可能な画面データに変換する画面データ変換処理部を監視制御装置本体に備え、汎用パソコン側で画面データを閲覧・印刷可能に構成したので、汎用パソコンで監視制御装置本体から送信された画面データを閲覧でき、また、汎用プリンタで画面のハードコピーを得ることができる。更に、汎用パソコン側に転送された監視制御装置の画面データを蓄積する機能を有しているので、必要なときに必要な部分のみを選択し印刷することが容易にでき無駄を省くことができる。
【図面の簡単な説明】
【０００８】
【図１】この発明の実施の形態１によるプラント監視制御システムの構成を示す図である。
【図２】図１の監視制御装置本体と汎用パソコンの機能構成図である。
【図３】従来のプラント監視制御システムの構成を示す図である。
【発明を実施するための形態】
【０００９】
実施の形態１．
以下、この発明の実施の形態１を図に基づいて説明する。図1は実施の形態１によるプラント監視制御システムの構成図であり、図２は図１の監視制御装置本体と汎用パソコンの機能構成図である。
【００１０】
図１において、プラント設備１には、現場設備の運転状態や故障状態を示す情報を得るための接点２、及び、プラントの現場設備の各種の計測情報を得る測定端子３を備えており、接点２及び測定端子３から取り込まれた各情報は、コントローラ４に入力される。コントローラ４はプラント設備１に対して計装制御やシーケンス制御を行うものであり、プラント設備１の規模にしたがって複数のコントローラ４を有している。
各コントローラ４はプラント専用に設計されたプラントバス５に接続され、プラントバス５には監視制御装置本体６が接続されている。監視制御装置本体６は、プラント設備１を監視制御すると共に、プラント設備１からのデータを収集・編集・蓄積し各種帳票やプラント監視画面等の作成・出力を行うものである。
【００１１】
この構成により、コントローラ４に入力されたプラントの現場設備からの各種情報は、プラントバス５を介して各コントローラ４間、及び各コントローラ４と監視制御装置本体６間のデータの授受が行えるようになっている。
また、監視制御装置本体６では、取り込んだ情報を運転員に分かり易い形の情報に加工されてディスプレイ７に表示されるようになっている。
【００１２】
更に、監視制御装置本体６は、汎用ＬＡＮ８によって汎用パソコン９と接続されている。汎用パソコン９は、監視制御装置本体６で加工された情報や画面データを蓄積したり、表示したりするものである。なお、汎用パソコンとは、一般に市販されて広く流通しているパソコンを指し、汎用ソフトを利用できるものである。
また、汎用ＬＡＮ８には、プリンタ１０が接続されており、監視制御装置本体６で加工された情報や画面データを印刷できるようになっている。
【００１３】
図２は監視制御装置本体６と汎用パソコン９内の機能構成図である。
監視制御装置本体６には、ディスプレイ７で表示された表示画面を汎用パソコン９側で取り扱えるような画面データ６１に変換する画面データ変換処理部６２と、表示画面の転送を指令する表示画面転送指令部６３と、表示画面の印刷を指令する表示画面印刷指令部６４と、変換した画面データ６１の送信処理を行う画面データ送信処理部６５とを備えている。なお、本願発明に直接関係する部分のみを示し、それ以外の機能は省略している。
【００１４】
一方、汎用パソコン９側には、送信されてきた画面データを、図示しないメモリに蓄積処理する画面データ蓄積処理部９１と、メモリに蓄積された画面データ９２（画面データ６１と同じ）の印刷を指示する画面データ印刷指示部９３と、印刷指示により汎用ＬＡＮ８に接続されたプリンタ１０に対して印刷処理を行う画面データ印刷処理部９４とを備えている。なお、上記の各機能部は、汎用パソコン９に備わったハード及び市販のソフト等で実現できるものである。
【００１５】
次に動作について説明する。
図１において、プラント設備１で発生する各種信号のうち、現場設備の運転状態や故障状態は接点２から、現場設備の各種の計測情報は測定端子３からコントローラ４に入力され、コントローラ４では各種制御処理及び計装制御計算を行い制御信号をプラント設備１に出力するとともに、必要情報をプラントバス５を介して監視制御装置本体６に送信する。監視制御装置本体６では、例えば帳票作成に必要なデータを周期的に収集して図示しない蓄積部に蓄積するとともに、編集処理を行って帳票を作成し、オペレータの操作により、帳票をディスプレイ７に表示し、また、帳票データの入力や編集を行う。もちろん、帳票データに限定するものではなく、プラント監視画面等の表示も行う。
【００１６】
図２において、監視制御装置本体６では、上記のようにプラント設備１から得られる各種データを帳票やプラント監視画面等にしてディスプレイ７に表示させている。プラント状況判断の支援のため、あるいは、データ管理のために、表示画面をプリントアウトする、いわゆるハードコピーの必要が生じた場合、次のような処置が行われる。
図示しない外部入力装置からの指示により、表示画面転送指令部６３から表示画面転送指令が出されると、画面データ変換処理部６２が、表示画面を例えばＰＤＦ等の汎用形式の画面データ６１に変換する。変換された画面データ６１は、画面データ送信処理部６５で送信処理されて汎用ＬＡＮ８を介して汎用パソコン９に送信される。汎用パソコン９では、画面データ蓄積処理部９１において画面データ９２を図示しないメモリに蓄積処理する。
【００１７】
画面データ９２を印刷したい場合は、汎用パソコン９側で、オペレータが画面データ蓄積処理９１に蓄積されている画面データ９２から印刷したい画面データを選択し、画面データ印刷指示部９３から印刷指示を行い、画面データ印刷処理部９４を起動し汎用ＬＡＮ８を介してプリンタ５に印刷する。
【００１８】
また、監視制御装置本体６には、表示画面印刷指令部６３を備えているので、直接、監視制御装置本体６からの指令により汎用パソコン９を介しプリンタ１０から印刷することも可能である。
この場合は、図示しない外部入力装置からの指示により、表示画面印刷指令部６３から表示画面印刷指令が出されると、上記と同様に、画面データ変換処理部６２で表示画面を例えばＰＤＦ等の汎用形式の画面データ６１に変換し、画面データ送信処理部６５から汎用ＬＡＮ８を介して汎用パソコン９に送信される。汎用パソコン９では、画面データ蓄積処理部９１で画面データ９２を図示しないメモリに蓄積するとともに、画面データ印刷処理部９４に指示が出され、汎用ＬＡＮ８を介してプリンタ１０で印刷される。
なお、監視制御装置本体６からの指令で、汎用パソコン９から印刷までの一連の処理を自動的に行う場合には、汎用パソコン９側に多少の作り込みが必要となる。
【００１９】
以上までの説明のように、このプラント監視制御システムは、監視制御装置本体６側に表示した画面データを汎用パソコン９側で保存し表示でき、ハードコピーをプリントできるところに特徴を有するものである。これにより、プリンタは汎用パソコンに接続できる範囲で市販のものから広く選択可能となる。背景技術で説明したような従来システムでは、プリンタは、プラントバスに接続された監視制御装置本体に、又は、プラントバスに直接接続されていたので、プラント設備メーカの独自仕様と接続できるように接続装置や接続ソフトウェアを用意する必要があった。このため、使用プリンタが生産中止になった場合等には、また新たな接続装置や接続ソフトウェアを必要としていた。
【００２０】
以上のように、実施の形態１のプラント監視制御システムによれば、監視制御装置本体に汎用パソコンとプリンタとを汎用ＬＡＮで接続し、監視制御装置本体の表示装置で表示される表示画面を汎用パソコンで表示・印刷可能な画面データに変換する画面データ変換処理部を監視制御装置本体に備え、汎用パソコン側で画面データを閲覧・印刷可能に構成したので、汎用パソコンで監視制御装置本体から送信された画面データを閲覧でき、また、汎用プリンタで画面のハードコピー得ることができる。更に、汎用パソコン側に転送された監視制御装置の画面データを蓄積する機能を有しているので、必要なときに必要な部分のみを選択し印刷することが容易にでき無駄を省くことができる。
【００２１】
また、監視制御装置本体からの表示画面印刷指令により、汎用パソコンから画面データをプリンタに出力する機能を備えたので、監視制御装置本体に直接プリンタを接続している場合と同様に、必要時にいつでも監視制御装置本体の表示画面のハードコピーを得ることができる。
【符号の説明】
【００２２】
１  プラント設備                      ２  接点
３  測定端子                          ４  コントローラ
５  プラントバス                      ６  監視制御装置本体
７  ディスプレイ                      ８  汎用ＬＡＮ
９  汎用パソコン                    １０  プリンタ
６１  画面データ                      ６２  画面データ変換処理部
６３  表示画面転送指令部              ６４  表示画面印刷指令部
６５  画面データ送信処理部            ９１  画面データ蓄積処理部
９２  画面データ                      ９３  画面データ印刷指示部
９４  画面データ印刷処理部。
【図１】
2011186724.tif 000003
【図２】
2011186724.tif 000004
【図３】
2011186724.tif 000005